(57)【要約】【課題】有害な燃焼ガスを焼却炉の外部へ飛散せずに焼却物の焼却炉への連続投入を可能にする。【解決手段】焼却物を投入する投入開口部１ａを有し、焼却炉１の上に配置した大扉２と、前記投入開口部１ａに対応する投入升３ａを備え、前記投入升３ａが前記投入開口部１ａ上にもたらす位置と前記投入開口部１ａを閉鎖する位置間を移動可能に設けた子扉３と、前記投入升３ａに設けた上部蓋４と、前記上部蓋４を開閉する上部蓋開閉手段と、前記子扉３を移動する子扉移動手段とから構成する。【選択図】      図１
2005030698.tif 000002
【特許請求の範囲】
【請求項１】
焼却物を投入する投入開口部を有し、焼却炉の上に配置されている大扉と、
前記投入開口部に対応する投入升を備え、前記投入升が前記投入開口部上にもたらされる位置と前記投入開口部が閉鎖される位置間を移動可能に設けられている子扉と、
前記投入升に設けられた上部蓋と、前記上部蓋を開閉させる上部蓋開閉手段と、
前記子扉を移動させる子扉移動手段とから構成したことを特徴とする焼却炉の扉装置。
【請求項２】
前記大扉を開放する大扉開放手段を備えた請求項１記載の焼却炉の扉装置。
【請求項３】
前記上部蓋開閉手段は、投入升の上部開口側縁部に対しヒンジを介して開閉可能に枢着された上部蓋を、リモコン操作によって開閉方向に駆動させる第１シリンダ機構を備えて成り、前記子扉移動手段は、カムフォロアを介して大扉上を左右にスライド可能とした投入升を、当該スライド方向に沿って牽引乃至押圧する第２シリンダ機構を備えて成る請求項１記載の焼却炉の扉装置。
【請求項４】
前記大扉開放手段は、焼却炉に対しヒンジを介して開閉可能に枢着された大扉を開放方向に牽引させる電動ウインチを備えて成る請求項２記載の焼却炉の扉装置。
【発明の詳細な説明】
【技術分野】
【０００１】
本発明は、有害な燃焼ガスを焼却炉の外部へ飛散させずに焼却物の焼却炉への連続投入を可能にした焼却炉の扉装置に関する。
【背景技術】
【０００２】
焼却炉で投入開口が炉上部に設けられているものでは、燃焼中に次の焼却物を供給使用とするためには、投入開口部を開放する必要がある。
しかしながら、従来の扉装置では扉自体が焼却炉の投入開口部に連通しているため、有害な燃焼ガスを焼却炉の外部へ飛散させてしまうのが現状である。
公害問題についての関心が高まり、ダイオキシンを発生させるなどの理由からそのような炉を用いで連続投入による運転が制限されており、使用が禁止されかねない状態にある。
【０００３】
そこで本発明は、有害な燃焼ガスを焼却炉の外部へ飛散させずに焼却物の焼却炉への連続投入を可能にした焼却炉の扉装置を提供することを目的とする。
【発明の開示】
【課題を解決するための手段】
【０００４】
上述した課題を解決するため、本発明にあっては、焼却物を投入する投入開口部１ａを有し、焼却炉１の上に配置されている大扉２と、前記投入開口部１ａに対応する投入升３ａを備え、前記投入升３ａが前記投入開口部１ａ上にもたらされる位置と前記投入開口部１ａが閉鎖される位置間を移動可能に設けられている子扉３と、前記投入升３ａに設けられた上部蓋４と、前記上部蓋４を開閉させる上部蓋開閉手段と、前記子扉３を移動させる子扉移動手段とから構成したものである。  
【０００５】
焼却炉の扉装置は、前記大扉２を開放する大扉開放手段を備えたものとすることができる。前記上部蓋開閉手段は、投入升３ａの上部開口側縁部に対しヒンジ１０を介して開閉可能に枢着された上部蓋４を、リモコン操作によって開閉方向に駆動させる第１シリンダ機構６を備えている。前記子扉移動手段は、ローラ９により大扉２上を左右にスライド可能とした子扉３を、当該スライド方向に沿って牽引乃至押圧する第２シリンダ機構５を備えている。前記大扉開放手段は、焼却炉１に対しヒンジ１０を介して開閉可能に枢着された大扉２を開放方向に牽引させる電動ウインチ７を備えて成るものとすることができる。
【０００６】
以上のように構成された本発明に係る焼却炉の扉装置にあって、第２シリンダ機構５は、投入升３ａを大扉２上でスライド方向に沿って押圧させることで、焼却炉の投入開口部１ａに対して横にそれた位置に配置させる。このとき大扉２の開口２ａは子扉３によって閉塞され、焼却炉１内部の有毒ガスや火の粉等が外部へ飛散させないものとなる。そして、リモコン操作によって第１シリンダ機構６を駆動させることによって投入升３ａの上部蓋４を開放させ、例えば重機等を使って投入升３ａ内にゴミを投入させる。そして、上部蓋４を閉塞した後、第２シリンダ機構５によって子扉３の投入升３ａを大扉２上でスライド方向に沿って牽引させることで、投入升３ａを焼却炉１の投入開口部１ａに連通する位置に配置させる。このとき投入升３ａ内のゴミは焼却炉１の投入開口部１ａを通って焼却炉１内に落下する。以上のような動作が循環的に行われることで、ゴミを焼却炉１内に連続的に投入可能にさせる。
【０００７】
また、焼却炉１内部に溜まった焼却灰を取り出す場合には、電動ウインチ７を駆動させて大扉２の枠体の上側枠部を牽引させ、大扉２自体を後方側へ傾倒させることで焼却炉１の投入開口部１ａを開放させることで、重機等を使っての焼却炉１の灰出し作業を可能にさせる。
【発明の効果】
【０００８】
有害な燃焼ガスを焼却炉１の外部へ飛散させずに焼却物の焼却炉１への連続投入を可能にし、焼却炉１周辺の公害問題を解決することができる。
【０００９】
なお、上記の課題を解決するための手段、発明の効果の項夫々において付記した符号は、図面中に記載した構成各部を示す部分との参照を容易にするために付したもので、図面中の符号によって示された構造・形状に本発明が限定されるものではない。
【発明を実施するための最良の形態】
【００１０】
以下図面を参照して本発明を実施するための最良の形態について説明する。この扉装置は焼却物を投入するための投入開口部１ａを上側に有する例えばコンクリートと耐火キャスターブルとから成る例えば矩形ボックス状の焼却炉１の上に配置されている。すなわちこの扉装置は、図１に示すように、焼却炉１の上に後述する大扉開放手段によって開閉可能となるように配置され、略中央に投入開口部１ａに連通する開口２ａを有する大扉２と、焼却炉１の投入開口部１ａに対応する底部開放部を形成した例えば矩形ボックス状の投入升３ａを、大扉２に対して左右にスライド移動可能とした閉塞板３ｂの一端側に備え、後述する子扉移動手段によって投入升３ａの底部開放部が投入開口部１ａ上にもたらされる位置と、投入開口部１ａが閉塞板３ｂによって閉鎖される位置との間を移動可能に設けられている子扉３と、前記投入升３ａの上側開放部に設けられ、後述する上部蓋開閉手段によって開閉可能とした上部蓋４とから構成してある。
【００１１】
大扉開放手段の具体的な構成としては、図６に示すように、鋼材と耐火キャスターブルとから成る大扉２の端部側を、焼却炉１の投入開口部１ａ周辺面に対しヒンジ１０を介して開閉方向に回動可能となるように配置され、投入開口部１ａ側への大扉２の閉鎖位置では大扉２の開口２ａが焼却炉１の投入開口部１ａに連通配置されるようにしてある。そして、図７に示すように、大扉２の後側縁部に形成した矩形状の枠体２ｂの上側枠部をワイヤー７ａで牽引させて大扉２自体を後方側へ、例えば角度７０°程度に傾倒させて開放するための電動ウインチ７を大扉２後方側に設置してある。また、重機等を使っての焼却炉１の灰出し作業のために大扉２を開放した際に、大扉２が反転して急激に閉まらないようにようにするために、大扉２の枠体２ｂと電動ウインチ７との間には、枠体係掛用の安全フック１２が設けられている。
【００１２】
子扉移動手段の具体的な構成としては、図４、図８に示すように、例えば鋼材と耐火キャスターブルとから成る子扉３の投入升３ａと一体となった閉塞板３ｂの前後縁端部に複数のローラ９を等間隔に突設形成し、大扉２の前後に形成された図示しない案内を介して大扉２上を左右にスライド可能となるように配置し、投入升３ａを当該スライド方向に沿って牽引乃至押圧するために当該投入升３ａの側面には第２シリンダ機構５のピストンロッド先端部分を連結してある。
【００１３】
上部蓋開閉手段の具体的な構成としては、図２、図３に示すように、投入升３ａの上部開口側縁部にヒンジ１０を介して例えば耐熱鋼材製の上部蓋４が開閉可能に枢着され、ヒンジ１０の突出一端側にはカム１１の一端側を固定してある。そして、カム１１の他端側を第１シリンダ機構６のピストンロッド先端部分に連繋させ、リモコン操作によって第１シリンダ機構６を駆動させることによってカム１１を牽引方向に回転させて上部蓋４を開放配置させたり、カム１１を押圧方向に回転させて上部蓋４を閉塞配置させたりするものとしてある。
【００１４】
尚、本発明の扉装置を左右対称位置に配置させた構成としても良い。また、第１シリンダ機構６、第２シリンダ機構５は、電動式であっても油圧式であってもいずれでも良い。
【００１５】
次に、以上のように構成された実施のための最良な形態についての使用、動作の一例を説明する。図２、図８（ａ）に示すように、予め第２シリンダ機構５によって子扉３の投入升３ａをスライド方向に沿って押圧し、投入升３ａを大扉２の開口２ａに対して横にそれた位置に配置させておく。このとき大扉２の開口２ａは子扉３の閉塞板３ｂによって閉塞されているため、焼却炉１内部の有毒ガスや火の粉等が外部へ飛散市内ものとなる。そして、リモコン操作によって第１シリンダ機構６を駆動させることによって投入升３ａの上部蓋４を開放させ、例えば重機等を使って投入升３ａ内にゴミを投入した後、上部蓋４を閉塞する（図３参照）。次に、図８（ｂ）、図４に示すように、第２シリンダ機構５によって子扉３の投入升３ａをスライド方向に沿って牽引し、投入升３ａを大扉２の開口２ａ、および焼却炉１の投入開口部１ａに連通する位置に配置させると投入升３ａ内のゴミは大扉２の開口２ａ、焼却炉１の投入開口部１ａを通って焼却炉１内に落下する。以上のような動作が循環的に行われることで、ゴミは焼却炉１内に連続的に投入される。
【００１６】
また、焼却炉１内部に溜まった焼却灰を取り出す場合には、電動ウインチ７を駆動させて大扉２の枠体２ｂの上側枠部をワイヤー７ａで牽引させ、大扉２自体を後方側へ、例えば角度７０°程度に傾倒させることで焼却炉１の投入開口部１ａを開放させてから、重機等を使って焼却炉１の灰出し作業を行うのである。
【図面の簡単な説明】
【００１７】
【図１】本発明による焼却炉の扉装置の実施例の分解斜視図である。
【図２】本発明による焼却炉の扉装置の実施例の連続運転サイクルにおける上部蓋開放状態の斜視図である。
【図３】本発明による焼却炉の扉装置の連続運転サイクルにおける上部蓋閉鎖状態の斜視図である。
【図４】本発明による扉装置の連続運転サイクルにおける子扉をスライドさせて内部のゴミを燃焼炉内へ投入させる状態の斜視図である。
【図５】本発明による扉装置の連続運転サイクルにおける燃焼炉内へのゴミ投入後に子扉を元位置にスライドさせた状態の斜視図である。
【図６】本発明による扉装置の大扉を電動ウインチで引き上げて開放した状態の斜視図である。
【図７】本発明による扉装置の開放動作を説明する側面図である。
【図８】本発明による扉装置の連続運転サイクルの一部を示すもので、（ａ）は上部蓋開放状態の断面図、（ｂ）は子扉をスライドさせて内部のゴミを燃焼炉内へ投入させる状態の断面図である。
【符号の説明】
【００１８】
１…焼却炉                          
１ａ…投入開口部
２…大扉                            
２ａ…開口
３…小扉  
３ａ…投入升
３ｂ…閉塞板                        
４…上部蓋
５…第２電動シリンダ              
６…第１電動シリンダ
７…電動ウインチ                    
７ａ…ワイヤー
９…ローラ
１０…ヒンジ                        
１１…カム
１２…安全フック
【図１】
2005030698.tif 000003
【図２】
2005030698.tif 000004
【図３】
2005030698.tif 000005
【図４】
2005030698.tif 000006
【図５】
2005030698.tif 000007
【図６】
2005030698.tif 000008
【図７】
2005030698.tif 000009
【図８】
2005030698.tif 000010